(57)【特許請求の範囲】
【請求項１】
移動通信システムで用いられる基地局であって、
移動端末から通知される前記移動端末のキャリアアグリゲーション機能と、前記移動通信システムでサポートされているキャリアアグリゲーションバンドの組み合わせとに基づいて、当該移動通信システムにおける前記移動端末のキャリアアグリゲーション対応能力を判断する判断部と、
前記移動端末がキャリアアグリゲーション対応能力を有する場合に、前記移動端末の前記キャリアアグリゲーション機能と、前記移動端末が在圏するセルのオーバーレイセル環境とに基づいて、バンド分散実施後にキャリアアグリゲーションの実施が可能なセルを検索する検索部と、
前記検索部により検索されたキャリアアグリゲーション実施可能セルの中から、前記移動端末のバンド分散先セルを決定するセル決定部と、
前記移動端末を前記決定されたセルにバンド分散ハンドオーバさせるハンドオーバ制御部と、
を有することを特徴とする基地局。
【請求項２】
前記セル決定部は、前記移動通信システムでサポートされているキャリアアグリゲーションバンドの組み合わせの中で、最も輻輳度の和の小さい組み合わせを選択し、前記選択された組み合わせの中で最も輻輳度の低いセルをバンド分散先セルに決定する、
ことを特徴とする請求項１に記載の基地局。
【請求項３】
前記セル決定部は、前記移動通信システムでサポートされているキャリアアグリゲーションバンドの組み合わせの中で、前記移動通信システムのスループットまたはリソース利用効率が最も高くなる組み合わせを選択し、前記選択された組み合わせの中で最も輻輳度の低いセルをバンド分散先セルに決定することを特徴とする請求項１に記載の基地局。
【請求項４】
前記セル決定部は、前記判断部によって前記移動端末が前記キャリアアグリゲーション対応能力を有しないと判断された場合に、前記オーバーレイセル環境において最も輻輳度の低いセルをバンド分散先セルに決定することを特徴とする請求項１に記載の基地局。
【請求項５】
前記検索部により前記キャリアアグリゲーション実施可能セルが検索された場合に、前記検索されたセルでキャリアアグリゲーションに利用可能なコンポーネントキャリアを決定するキャリア決定部、
をさらに有し、
前記セル決定部は、前記コンポーネントキャリアの測定結果または輻輳度に基づいて前記バンド分散先セルを決定する、
ことを特徴とする請求項１の基地局。
【請求項６】
前記検索部は、前記移動端末がアイドル状態からアクティブ状態へ遷移するタイミングまたはアクティブ状態でデータ通信を再開するタイミングで、前記キャリアアグリゲーション実施可能セルを検索することを特徴とする請求項１に記載の基地局。
【請求項７】
移動通信システムにおけるバンド分散制御方法であって、
基地局において、移動端末から通知される前記移動端末のキャリアアグリゲーション機能と、前記移動通信システムでサポートされているキャリアアグリゲーションバンドの組み合わせとに基づいて、当該移動通信システムにおける前記移動端末のキャリアアグリゲーション対応能力を判断し、
前記移動端末がキャリアアグリゲーション対応能力を有する場合に、前記移動端末の前記キャリアアグリゲーション機能と、前記移動端末が在圏するセルのオーバーレイセル環境とに基づいて、バンド分散実施後にキャリアアグリゲーションの実施が可能なセルを検索し、
前記検索されたキャリアアグリゲーション実施可能セルの中から、前記移動端末のバンド分散先セルを決定し、
前記移動端末に対して、前記決定されたセルへのバンド分散ハンドオーバ制御を実施する、
ことを特徴とするバンド分散制御方法。
【発明の詳細な説明】
【技術分野】
【０００１】
本発明は、移動通信の分野に関し、特に、キャリアアグリゲーションに関する情報を用いてバンド分散制御を行う技術に関する。
【背景技術】
【０００２】
３ＧＰＰ（3rd Generation Partnership Project）で標準化されているＬＴＥ（Long Term Evolution）方式の移動通信システムは、複数の基地局（Evolved Note B：ｅＮＢ）を含んでおり、高速、大容量の通信を実現するため、各周波数帯のセルの負荷分散を目的とするバンド分散ハンドオーバ制御（「バンド分散制御」とも表記する。）が行われている。ＬＴＥを進化させたLTE-Advancedでは、複数のコンポーネントキャリア（ＣＣ：Component Carriers）を束ねて伝送速度を向上するキャリアアグリゲーション（ＣＡ：Carrier Aggregation）制御が行われている。
【０００３】
バンド分散制御は、図１に示すように、移動端末（ＵＥ）２０が在圏するセル１０１（たとえば８００ＭＨｚのセル）の輻輳度が高くスループットが良くない場合に（状態(1)）、ＵＥをより輻輳度の低いセル（たとえば２ＧＨｚのセル）１０２にハンドオーバ（Inter-cell handover）させて（状態(2)）、伝送容量分散を図る技術である。輻輳度の低いセルにハンドオーバしたＵＥ２０は、高いスループットで通信することができる（状態(3)）。
【０００４】
キャリアアグリゲーションは、コンポーネントキャリアの品質に基づいて、プライマリセル（Primary Cell：PCell）の他にセカンダリセル（Secondary Cell：SCell）を追加、削除、設定変更することで伝送速度を向上させる技術である。
【０００５】
ＬＴＥシステムは多数のｅＮＢを含んでいる。システムに含まれているｅＮＢはすべて同じ機能を有しているわけでなく、基地局ごとに機能の程度が異なることも多い。たとえば、キャリアアグリゲーションは３ＧＰＰの技術仕様のリリース１０で規定されている機能であるが、初期のＬＴＥシステムで設置されたｅＮＢはリリース８で規定されている機能を有するため、アップグレードする必要がある。
【先行技術文献】
【非特許文献】
【０００６】
【非特許文献１】3GPP TS 36.300
【非特許文献１】3GPP TS 36.331
【発明の概要】
【発明が解決しようとする課題】
【０００７】
配置されているすべてのｅＮＢでアップグレードが可能であればよいが、アップグレードを実施するには多大なコストがかかる。また、装置のスペックによってはアップグレードが実施できないケースもある。そのため、場所によってはｅＮＢがリリース１０に対応していないがために、リリース１０に対応するＵＥがキャリアアグリゲーションのサービスを受けられないという事態が発生する。
【０００８】
また、システム内のすべてのｅＮＢがキャリアアグリゲーションに対応する機能を有する（以下、「ＣＡ対応ｅＮＢ」と称する）場合でも、標準規定上、キャリアアグリゲーションは同一ｅＮＢ内でしか実施することができず、ＵＥがキャリアアグリゲーション能力を保持していないバンドで発信した場合、キャリアアグリゲーションを実施することができない。キャリアアグリゲーションを実施できないバンドにＵＥが接続した場合、このＵＥでスループットを出すことができないという問題が生じる。
【０００９】
たとえば、図２に示すように、７００ＭＨｚに対応し、キャリアアグリゲーション機能のないｅＮＢ（以下、「ＣＡ非対応ｅＮＢ」と称する）の管轄セルにて、８００ＭＨｚ及び１．７ＧＨｚ帯でキャリアアグリゲーションが可能なＵＥ２０−１が発信した場合、キャリアアグリゲーションは実施できない。
【００１０】
また、２ＧＨｚと１．５ＧＨｚでキャリアアグリゲーションの実施が可能なＣＡ対応ｅＮＢの管轄セルで、８００ＭＨｚ及び１．７ＧＨｚでキャリアアグリゲーションが可能なＵＥ２０−２が発信した場合も、当該バンドでキャリアアグリゲーションを実施することができない。
【００１１】
そこで、キャリアアグリゲーション機能を有するＵＥがそのＵＥにとってのＣＡ非対応ｅＮＢで発着信した場合でも、キャリアアグリゲーションの実施を可能とする技術を提供することを課題とする。
【課題を解決するための手段】
【００１２】
上記課題を解決するために、実施形態では、ＵＥが発着信したセルを管轄するｅＮＢにてＵＥのキャリアアグリゲーション対応能力を判断し、ＵＥのキャリアアグリゲーション機能に応じたＣＡ対応ｅＮＢへバンド分散させる制御を行う。
【００１３】
本発明の一つの態様では、移動通信システムで用いられる基地局は、
移動端末から通知される前記移動端末のキャリアアグリゲーション機能と、前記移動通信システムでサポートされているキャリアアグリゲーションバンドの組み合わせとに基づいて、当該移動通信システムにおける前記移動端末のキャリアアグリゲーション対応能力を判断する判断部と、
前記移動端末がキャリアアグリゲーション対応能力を有する場合に、前記移動端末の前記キャリアアグリゲーション機能と、前記移動端末が在圏するセルのオーバーレイセル環境とに基づいて、バンド分散実施後にキャリアアグリゲーションの実施が可能なセルを検索する検索部と、
前記検索部により検索されたキャリアアグリゲーション実施可能セルの中から、前記移動端末のバンド分散先セルを決定するセル決定部と、
前記移動端末を前記決定されたセルにバンド分散ハンドオーバさせるハンドオーバ制御部と、
を有する。
【発明の効果】
【００１４】
上記の技術により、キャリアアグリゲーション機能を有するＵＥが、ＣＡ非対応ｅＮＢや別バンドでのキャリアアグリゲーションが可能なｅＮＢで発着信した場合も、キャリアアグリゲーションを実施することができる。
【図面の簡単な説明】
【００１５】
【図１】バンド分散制御を説明する概略図である。
【図２】従来技術の問題点を説明する図である。
【図３】本発明の基本概念を説明する図である。
【図４】第１実施形態のバンド分散制御のシーケンス図である。
【図５】第２実施形態のバンド分散制御のシーケンス図である。
【図６】バンド分散先セル決定処理の一例を示す図である。
【図７】実施形態のｅＮＢの構成例を示す概略図である。
【発明を実施するための形態】
【００１６】
図３は、本発明の基本概念を説明する図である。８００ＭＨｚ及び１．７ＧＨｚでキャリアアグリゲーションが可能なＵＥ２０が、７００ＭＨｚに対応するＣＡ非対応ｅＮＢで発着信し、キャリアアグリゲーションの契機が生じた場合、このＣＡ非対応ｅＮＢは、８００ＭＨｚまたは１．７ＧＨｚのセルへバンド分散ハンドオーバを実施する。
【００１７】
また、８００ＭＨｚ及び１．７ＧＨｚでキャリアアグリゲーションが可能なＵＥ２０が２ＧＨｚ及び１．５ＧＨｚでのＣＡ対応ｅＮＢで発着信し、送受信されるデータ量が一定量を超える等のキャリアアグリゲーションの契機が生じた場合、このＣＡ対応ｅＮＢは８００ＭＨｚまたは１．７ＧＨｚのセルへバンド分散ハンドオーバを実施する。
【００１８】
キャリアアグリゲーションが可能なバンドが複数ある場合は、ＵＥ２０のキャリアアグリゲーション対応能力と、キャリアアグリゲーション可能バンド情報と、オーバーレイされるセル間での輻輳度情報を用いてキャリアアグリゲーション実施後の状態を推定し、最もスループットの出るセルへのバンド分散ハンドオーバを実施する。バンド分散ハンドオーバ後、ハンドオーバ先のセルで直ちにキャリアアグリゲーションを実施することで、ＵＥ２０にとって最もスループットの出るセルでの通信が可能になる。
＜第１実施形態＞
図４は、第１実施形態のバンド分散制御のシーケンス図である。第１実施形態では、移動通信システム１において、ＵＥ２０がアイドル（Idle）状態から発信する場合のバンド分散制御を説明する。
【００１９】
アイドル状態からアクティブ状態へ遷移するＵＥ２０は、ｅＮＢ＃１（１０−１）に接続要求メッセージ「RRC Connection Request」を送信する（Ｓ１１）。ｅＮＢ＃１は、ＵＥ２０にＲＲＣ（Radio Resource Control）接続設定メッセージ「RRC Connection Setup」を送信し（Ｓ１２）、ＵＥ２０から「RRC Connection Setup Complete」を受信することで接続確立手順が完了する（Ｓ１３）。この再接続は、キャリアアグリゲーションの契機となる。
【００２０】
ｅＮＢ＃１は、Ｓ１−ＡＰプロトコルを用いてコアネットワークのＭＭＥ（Mobile Management Entity）３０に、リンク設定要求を含む「Initial UE Message」を送信し（Ｓ１４）、ＭＭＥ３０から初期コンテキスト設定要求「Initial Context Setup Request」を受信する（Ｓ１５）。
【００２１】
ここで、ｅＮＢ＃１は、当該ネットワークにおけるＵＥ２０のキャリアアグリゲーション対応能力を判断する（Ｓ１６）。ＵＥ２０のキャリアアグリゲーション対応能力は、ＵＥ２０から通知されてくるＵＥ２０自体のキャリアアグリゲーション機能（どのバンドでキャリアアグリゲーションが可能かを示す情報）と、ネットワークでサポートしているキャリアアグリゲーション可能セル（バンド）の組み合わせを比較して行う（図３参照）。ＵＥ２０がキャリアアグリゲーション機能自体を有していない場合、あるいはキャリアアグリゲーション機能は備えているが、当該ネットワークがサポートするバンドではキャリアアグリゲーションを実施できない場合は、「ＣＡ非対応端末」と判断される。ＵＥ２０が当該ネットワークでキャリアアグリゲーションの実施が可能な場合は「ＣＡ対応端末」と判断する。
【００２２】
ＵＥ２０がＣＡ対応端末である場合（Ｓ１６でＹｅｓ）、ｅＮＢ＃１はＵＥ２０にとってキャリアアグリゲーションの実施が可能なセルを検索する（Ｓ１７）。キャリアアグリゲーションの実施可能セルの検索は、ＵＥ２０から通知されたキャリアアグリゲーション能力と、ＵＥ２０が在圏するセルのオーバーレイセル環境（オーバーレイセル間での輻輳度を含む）とに基づいて、バンド分散先のセルでキャリアアグリゲーションを実施可能であるかによって判断する（Ｓ１８）。
【００２３】
Ｓ１６で、ＵＥ２０が当該ネットワークでキャリアアグリゲーションを行うことができない場合（Ｓ１６でＮｏ）、または、ＵＥ２０が当該ネットワークでキャリアアグリゲーションが可能であっても、現時点でキャリアアグリゲーションの実施可能なセルがない場合（Ｓ１８でＮｏ）は、既存のバンド分散処理を実施する（Ｓ１９）。
【００２４】
既存のバンド分散処理とは、ＵＥ２０がマルチバンド対応の機種であることを前提として、ＵＥ２０の在圏セルよりも輻輳度の低い他バンドのセルがある場合に、ＵＥ２０に他バンドへハンドオーバさせて負荷の分散を図る処理である。この場合、図示はしないが、ｅＮＢ＃１はＵＥ２０に対して「RRC Connection Reconfiguration」メッセージで他バンドの品質測定を指示し、ＵＥ２０からメジャメントレポート（Measurement Report）にて測定結果の報告を受け取る。他バンドセルの品質が所定の条件を満たしていれば、その他バンドへのハンドオーバ手順を実施する。
【００２５】
Ｓ１８に戻って、キャリアアグリゲーション可能なセルがある場合、ｅＮＢ＃１はバンド分散後のキャリアアグリゲーションの対象となるコンポーネントキャリアを決定する（Ｓ２０）。たとえば、Ｓ１９でキャリアアグリゲーション可能と判断されたセルに関して、コンポーネントキャリアごとの輻輳度を比較し、輻輳度の低いコンポーネントキャリアから順に選択する。
【００２６】
次に、ｅＮＢ＃１は、バンド分散制御を実施するために、ＵＥ２０に「RRC Connection Reconfiguration」メッセージでバンド分散先セルの測定を指示する（Ｓ２１）。ＵＥ２０から「RRC Connection Reconfiguration Complete」の応答を受信すると（Ｓ２２）、メジャメントレポート待ちタイマを起動し（Ｓ２３）、Ｓ１−ＡＰプロトコルでＭＭＥ３０に初期コンテキスト設定応答（Initial Context Setup Response）を返す（Ｓ２４）。
【００２７】
ｅＮＢ＃１は、メジャメントレポート待ちタイマがタイムアウトするまで（Ｓ２７）ＵＥ２０からバンド分散制御の対象となるセルについてのメジャメントレポートを受信する（Ｓ２５）。
【００２８】
ｅＮＢ＃１は、受信した測定結果に基づいてバンド分散先セルを決定する（Ｓ２８）。たとえば、バンド分散ハンドオーバ実施後にキャリアアグリゲーション実施が可能なセルの組み合わせの中でＵＥ２０が利用できるリソースの量が一番多い組み合わせパターンを選択し、選択されたセル（バンド）の組み合わせの中で一番リソース量が多いセルへのバンド分散を決定する。リソース量に替えて、スループットを予測して最大スループットが予測されるセルの組み合わせパターンを選択し、その組み合わせにおいて最大スループットの予測値を有するセルへのバンド分散を決定してもよい。あるいは、ＲＳＲＱ（Reference Signal Receive Quality：参照信号受信品質）が最良のセルを選択してもよい。この例では、ｅＮＢ＃２へのバンド分散ハンドオーバを決定する。
【００２９】
バンド分散先のセルが決定されたら、バンド分散ハンドオーバを実施する（Ｓ２９）。ｅＮＢ＃２が提供するバンドへのハンドオーバは、Ｘ２インタフェースでｅＮＢＥ＃１とｅＮＢ＃２の間で直接メッセージの送受信を行って実施してもよいし、ＭＭＥ３０を介してハンドオーバを実施してもよい。
【００３０】
ｅＮＢ＃２へのバンド分散ハンドオーバは、キャリアアグリゲーションの契機となり得る。ｅＮＢ＃２は、ＵＥ２０のためにキャリアアグリゲーション制御を実施する（Ｓ３０）。図示はしないが、ｅＮＢ＃２は「RRC Connection Reconfiguration」メッセージでＵＥ２０にコンポーネントキャリアの測定を指示する。ＵＥ２０からのメジャメントレポートに基づいて追加可能なセカンダリセルを決定し、ＵＥ２０のセカンダリセルの設定を「RRC Connection Reconfiguration」メッセージで指示する。ＵＥ２０は、ｅＮＢ＃２からの指示に基づいて、セカンダリセルを追加、設定する。
【００３１】
この方法によると、ＵＥ２０のキャリアアグリゲーション能力と、ネットワークのキャリアアグリゲーション可能バンド情報と、オーバーレイセル間での輻輳度情報とに基づいて、バンド分散後のキャリアアグリゲーションによりスループットの向上が見込まれるセルへのバンド分散ハンドオーバが決定される。ＵＥ２０がＣＡ非対応ｅＮＢに接続した場合や、別バンドでのキャリアアグリゲーションが可能なＣＡ対応ｅＮＢに接続した場合でも、バンド分散ハンドオーバ後、直ちにキャリアアグリゲーション制御が実施される。したがって、単位時間当たりの通信効率を向上することができる。
＜第２実施形態＞
図５は、第２実施形態のバンド分散制御のシーケンス図である。第２実施形態では、移動通信システム１において、ＵＥ２０がアクティブ状態から発信する場合のバンド分散制御を説明する。
【００３２】
ｅＮＢ＃１に接続中（RRC_Connected状態）のＵＥ２０は、たとえば間欠受信（ＤＲＸ：Discontinuous Reception）モードから非間欠受信（non-DRX）モードに遷移して、データ通信を再開する（Ｓ４１）。非間欠受信モードへの遷移を、キャリアアグリゲーション制御の契機としてもよい。
【００３３】
ｅＮＢ＃１は、ＵＥ２０のキャリアアグリゲーション機能とネットワークでサポートされているキャリアアグリゲーションバンドの組み合わせを比較して、当該ネットワークにおけるＵＥ２０のキャリアアグリゲーション対応能力を判断する（Ｓ４２）。ＵＥ２０が当該ネットワークで「ＣＡ対応端末」である場合（Ｓ４２でＹｅｓ）、ｅＮＢ＃１はキャリアアグリゲーションの実施が可能なセルを検索する（Ｓ４３）。たとえば、ＵＥ２０のキャリアアグリゲーション機能とオーバーレイセル環境に基づき、バンド分散先でキャリアアグリゲーションを実施することでスループット向上が期待できるセルを、キャリアアグリゲーション実施可能セルとして検出する（Ｓ４４でＹｅｓ）。また、そのセルでキャリアアグリゲーション制御に用いることのできるコンポーネントキャリアを決定する（Ｓ４６）。
【００３４】
Ｓ４２で、ＵＥ２０が当該ネットワークでキャリアアグリゲーションを実施できないと判断された場合、または、Ｓ４４でキャリアアグリゲーション実施可能なセルが見つからない場合は、バンド分散後のキャリアアグリゲーション制御なしに既存のバンド分散制御を実施する。
【００３５】
キャリアアグリゲーションを伴うバンド分散制御を実施する場合、ｅＮＢ＃１は「RRC Connection Reconfiguration」メッセージに、ＵＥ２０にバンド分散ハンドオーバのための測定を指示する（Ｓ４７）。ＵＥ２０から「RRC Connection Reconfiguration Complete」の応答を受信すると（Ｓ４８）、メジャメントレポート待ちタイマを起動し（Ｓ４９）、メジャメントレポート待ちタイマがタイムアウトするまで（Ｓ５２）、ＵＥ２０からバンド分散候補セルのメジャメントレポートを受信する（Ｓ５１）。
【００３６】
ｅＮＢ＃１は、受信した測定結果に基づいてバンド分散先セルを決定する（Ｓ５３）。たとえば、バンド分散ハンドオーバ実施後にキャリアアグリゲーション実施が可能なセルの組み合わせの中でＵＥ２０が利用できるリソースの量が一番多いセルパターンを選択し、選択されたパターンの中で一番リソース量が多いセル、最も高いスループットが予測されるセル、あるいはＲＳＲＱが最良のセルへのバンド分散を決定する。
【００３７】
バンド分散先のセル（たとえばｅＮＢ＃２）が決定されたら、バンド分散ハンドオーバを実施する（Ｓ５４）。ＵＥ２０がｅＮＢ＃２へバンド分散ハンドオーバを行ったならば、ｅＮＢ＃２は直ちにキャリアアグリゲーション制御を実施する（Ｓ５５）。
【００３８】
なお、ＵＥ２０が同じｅＮＢ＃１に在圏したままデータ通信の再開（Ｓ４１）を繰り返す場合は、取得したＵＥ２０のキャリアアグリゲーション対応能力を記憶部に保存してもよい。この場合は、データ通信再開時に、ＵＥ２０のキャリアアグリゲーション対応能力を読み出して、ＵＥ２０が在圏するセルのオーバーレイセル環境に応じてキャリアアグリゲーション実施可能セルを検索する（Ｓ４３）。以降の処理は同じである。
【００３９】
図６は、第１実施形態、第２実施形態で行われるバンド分散先セルの決定処理（Ｓ２８及びＳ５３）の一例を示す図である。たとえば、移動通信システム１で、１．７ＧＨｚバンドと８００ＭＨｚバンドの組み合わせ、及び１．５ＧＨｚバンドと２ＧＨｚバンドの組み合わせでキャリアアグリゲーションが可能であるとする。ＵＥ２０は、１．５ＧＨｚバンドと２ＧＨｚバンドでキャリアアグリゲーションの実施が可能な「ＣＡ対応端末」である。
【００４０】
現時点での１．７ＧＨｚバンドの輻輳度は「５」、８００ＭＨｚバンドの輻輳度は「１」、１．５ＧＨｚバンドの輻輳度は「３」、２ＧＨｚバンドの輻輳度は「２」である。輻輳度は、たとえば１Ｈｚ当たりの込み具合を表わすものとし、輻輳度の最大値を「１０」とする。輻輳度が１０のときは、リソース枯渇状態とみなしてもよい。
【００４１】
１．７ＧＨｚセルに在圏するＵＥ２００は、キャリアアグリゲーション機能を有しないか、又はキャリアアグリゲーション機能を有していても当該ネットワークがサポートするバンドではキャリアアグリゲーションを実施することのできない「ＣＡ非対応端末」である。
【００４２】
この場合、ＵＥ２００が在圏するセルのｅＮＢ１０は、演算（１）
ＭＡＸ［（セルＸの最大輻輳度）−（セルＸの現在の輻輳度）］      （１）
を行い、最もリソースを使用できる８００ＭＨｚへのバンド分散を決定する。セルＸは、ＵＥ２００が在圏するセルにオーバーレイされるセルである。
【００４３】
他方、「ＣＡ対応端末」であるＵＥ２０に対しては、在圏セルのｅＮＢ１０は演算（２）
ＭＡＸ［（ＣＡ可能な組み合わせＸのセルの最大輻輳度の和）
−（ＣＡ可能な組み合わせＸのセルの現在の輻輳度の和）」    （２）
を実施し、最もリソースを使用することのできる組み合わせＸを選択する。組み合わせＸのセルとしては、キャリアアグリゲーションを実施しなかった場合の単一セルも対象とする。
【００４４】
この例では、１．５ＧＨｚバンドと２ＧＨｚバンドの組み合わせが、ＵＥ２０にとって最もリソースを使用できるＣＡ可能バンドの組み合わせである。この組み合わせにおいて最も輻輳度の低い２ＧＨｚが、バンド分散先セルとして選択される。ｅＮＢ１０は、オーバーレイセル環境で、２ＧＨｚバンドへのバンド分散ハンドオーバを実施する（手順（１））。その後、２ＧＨｚバンドと１．５ＧＨｚバンドの利用可能なキャリアコンポーネントを用いてキャリアアグリゲーションを実施する（手順（２））。
【００４５】
図６の手順（１）は、第１実施形態のＳ２９、及び第２実施形態のＳ５４に対応する。手順（２）は、第１実施形態のＳ３０、第２実施形態のＳ５５に対応する。
【００４６】
「ＣＡ非対応端末」に対しては、最も輻輳度の低いセルへバンド分散ハンドオーバを決定する。「ＣＡ対応端末」に対しては、バンド分散後のキャリアアグリゲーションの可否と、キャリアアグリゲーション実施によるスループットまたはリソース利用効率の推測値とに基づいて、最適なバンド分散先セルを決定する。バンド分散ハンドオーバ後に直ちにキャリアアグリゲーションが実施されるので、すべてのｅＮＢにキャリアアグリゲーション機能を導入しなくても、システム全体のスループットを向上することができる。
＜装置構成＞
図７は、実施形態のｅＮＢ１０の概略ブロック図である。ｅＮＢ１０は、無線通信部１１と、基地局間およびコア側のモビリティ管理装置との間で信号の送受信を行うＸ２／Ｓ１インタフェース１２と、制御部１５を有する。無線通信部１１は、ＵＥ２０と無線通信を行う。Ｘ２／Ｓ１インタフェースは、近隣のｅＮＢとの間のメッセージの送受信や、ＭＭＥ３０との間のメッセージの送受信を行う。
【００４７】
制御部１５は、ＣＡ能力判定部１６と、ＣＡ実施可能セル検索部１７と、バンド分散先キャリア決定処理部１８と、バンド分散先セル決定処理部１９を有する。ＣＡ能力判定部１６は、ＵＥ２０から通知されたキャリアアグリゲーション能力情報と、ネットワークでサポートされるキャリアアグリゲーションバンドの組み合わせとに基づいて、当該ネットワークでのＵＥ２０のキャリアアグリゲーション対応能力を判断する。
【００４８】
ＣＡ実施可能セル検索部１７は、ＣＡ能力判定部１６によりＵＥ２０が「ＣＡ対応端末」であると判断された場合、ＵＥ２０から通知されたキャリアアグリゲーション機能と、ＵＥ２０が在圏するセルのオーバーレイセル環境とに基づいて、バンド分散ハンドオーバ後にキャリアアグリゲーションの実施が可能なセルを検索する。ＣＡ実施可能セル検索部１７は、たとえばキャリアアグリゲーション実施後のスループットの算出値、最大リソース効率算出値等に基づいて、キャリアアグリゲーションの実施可否を判断する。
【００４９】
バンド分散先キャリア決定処理部１８は、キャリアアグリゲーション実施可能セルが検索された場合に、そのセルで利用可能なコンポーネントキャリアを決定する。複数のコンポーネントキャリアが存在する場合にコンポーネントキャリアごとの輻輳度に基づいて輻輳度の低いコンポーネントキャリアから順に選択してもよい。
【００５０】
バンド分散先セル決定処理部１９は、ＣＡ実施可能セル検索部１７により検索されたキャリアアグリゲーション実施可能セルの組み合わせの中で、最大リソース効率又は最大スループットが予測される組み合わせを選択し、その組み合わせの中で最も輻輳度の低いセルをバンド分散先セルとして選択する。
【００５１】
制御部１５は、バンド分散先セル決定処理部１９により決定されたセルへのバンド分散ハンドオーバを実施する。
【００５２】
上記の構成により、ＵＥ２０がＣＡ対応端末であれば、ＣＡ対応ｅＮＢ（またはセル）へバンド分散させることで、バンド分散先セルでのキャリアアグリゲーションが可能になる。バンド分散後のキャリアアグリゲーション実施可能性を考慮し、最大リソース効率または最大スループットが達成できるセルへバンド分散ハンドオーバさせることができる。
【００５３】
既存技術では、キャリアアグリゲーション機能を有するＵＥがＣＡ非対応ｅＮＢで発信した場合、キャリアアグリゲーションの恩恵を受けることができないが、実施形態の構成と手法により、全ｅＮＢにキャリアアグリゲーション機能を導入しなくてもキャリアアグリゲーションの展開が可能になる。
【００５４】
なお、ＵＥ２０のキャリアアグリゲーション対応能力の判断は、必ずしも在圏するｅＮＢ１０でのＵＥ２０の発着信のタイミングで行う必要はなく、特定のタイミングで判断してもよい。
【００５５】
本発明は第４世代以降の移動通信システムにも適用可能である。
【符号の説明】
【００５６】
１  移動通信システム
１０  ｅＮＢ（基地局）
１１  無線通信部
１２  Ｘ２／Ｓ１インタフェース
１５  制御部
１６  ＣＡ能力判定部
１７  ＣＡ実施可能セル検索部
１８  バンド分散先キャリア決定処理部
１９  バンド分散先セル決定処理部
２０  ＵＥ（移動端末）
【図１】
0006257463.tif 000002
【図２】
0006257463.tif 000003
【図３】
0006257463.tif 000004
【図４】
0006257463.tif 000005
【図５】
0006257463.tif 000006
【図６】
0006257463.tif 000007
【図７】
0006257463.tif 000008